(57)【要約】【課題】試験者の負担を軽減すると共に、確実かつ正確に試験を行う。【解決手段】コントローラ４は、試験用ヘッドホン３にモータ駆動信号を供給する。これによって、モータが回転（逆転）して、作動部材２２が後退して、蓋部１５，３１が閉じる。次に、コントローラ４は、携帯電話機２に音声・音響信号の発信を促す制御信号を供給し、これによって、携帯電話機２は、ケーブル６４，２６，６１を介して、試験用の所定の音声・音響信号をスピーカに供給する。スピーカは、音声・音響信号を受けて、対応する音声や音楽等の音波を発生させる。コントローラ４は、所定の試験が実行されると、試験用ヘッドホン３にモータ駆動信号を供給する。これによって、モータが回転（正転）して、作動部材とともに蓋部１５，３１が回動軸Ｘの周りに回転して蓋部１５，３１が開く。【選択図】図１
2005223553.tif 000002
【特許請求の範囲】
【請求項１】
電気信号を対応する音波に変換して使用者の耳部へ向けて放射するイヤホン部を備えてなる受音器であって、
前記イヤホン部は、前記使用者の耳部を覆い込んで、外部空間と隔てるための耳カバー部材と、該耳カバー部材の少なくとも一部を開閉させて、前記耳カバー部材によって覆われた前記耳部近傍の空間と前記外部空間との間の音波の伝播量を調節する伝播量調節手段と備え、
前記伝播量調節手段は、入力された駆動制御信号に基づいて、前記耳カバー部材の少なくとも一部を開閉させて、前記伝播量を調節することを特徴とする受音器。
【請求項２】
前記耳カバー部材は、前記使用者の耳部を取り囲むように装着される耳当て部材と、該耳当て部材に取り付けられ、前記耳部を覆い込むための蓋部材とを有し、
前記伝播量調節手段は、前記駆動制御信号に基づいて、前記蓋部材を変位させて、前記耳部近傍の空間を前記外部空間に対して開放状態とするか又は遮断状態とする駆動手段を有することを特徴とする請求項１記載の受音器。
【請求項３】
前記蓋部材は所定の回動軸の周りに回動自在に配置され、前記駆動手段は前記蓋部材を回動させるモータからなることを特徴とする請求項２記載の受音器。
【請求項４】
前記駆動制御信号は、前記駆動手段を制御する制御手段から供給されることを特徴とする請求項２又は３記載の受音器。
【請求項５】
前記イヤホン部は、音響発生機能を有する電子機器に接続され、前記電気信号は前記電子機器から供給されることを特徴とする請求項１乃至４のいずれか１に記載の受音器。
【請求項６】
前記イヤホン部に供給される前記電気信号は、前記電子機器の音響発生機能を試験するための試験信号であることを特徴とする請求項５記載の受音器。
【請求項７】
前記制御手段は、前記駆動手段と共に前記電子機器を制御し、前記イヤホン部に音波を放射させるための前記電気信号の前記イヤホン部への出力を促す出力制御信号を前記電子機器に供給することを特徴とする請求項４、５又は６記載の受音器。
【請求項８】
前記制御手段は、前記駆動手段に、前記遮断状態となるように前記蓋部材を変位させるための前記駆動制御信号を供給した後に、前記電気信号の前記イヤホン部への出力を促す前記出力制御信号を前記電子機器に供給することを特徴とする請求項７記載の受音器。
【請求項９】
前記制御手段は、前記電気信号の前記イヤホン部への出力を促す前記出力制御信号を前記電子機器に供給し、所定時間経過後に、前記駆動手段に、前記開放状態となるように前記蓋部材を変位させるための前記駆動制御信号を供給することを特徴とする請求項６又は７記載の受音器。
【請求項１０】
前記使用者の左右の耳部へ向けて音波を放射する一対のイヤホン部を備えてなることを特徴とする請求項１乃至９のいずれか１に記載の受音器。
【請求項１１】
音響発生機能を有する電子機器に接続され、該電子機器の音響発生機能を試験するために用いられる音響発生機能試験装置であって、
電気信号を対応する音波に変換して使用者の耳部へ向けて放射するイヤホン部を備えてなる受音器と、該受音器及び前記電子機器を制御する制御手段とを備え、
前記イヤホン部は、前記使用者の耳部を覆い込んで、外部空間と隔てるための耳カバー部材と、該耳カバー部材の少なくとも一部を開閉させて、前記耳カバー部材によって覆われた前記耳部近傍の空間と前記外部空間との間の音波の伝播量を調節する伝播量調節手段と有し、
前記伝播量調節手段は、前記制御手段から入力された駆動制御信号に基づいて、前記耳カバー部材の少なくとも一部を開閉させて、前記音響伝播量を調節することを特徴とする音響発生機能試験装置。
【請求項１２】
前記耳カバー部材は、前記使用者の耳部を取り囲むように装着される耳当て部材と、該耳当て部材に取り付けられ、前記耳部を覆い込むための蓋部材とを有し、
前記伝播量調節手段は、前記駆動制御信号に基づいて、前記蓋部材を変位させて、前記耳部近傍の空間を前記外部空間に対して開放状態とするか又は遮断状態とする駆動手段を有することを特徴とする請求項１１記載の音響発生機能試験装置。
【請求項１３】
前記蓋部材は所定の回動軸の周りに回動自在に配置され、前記駆動手段は前記蓋部材を回動させるモータからなることを特徴とする請求項１２記載の音響発生機能試験装置。
【請求項１４】
前記イヤホン部は、音響発生機能を有する電子機器に接続され、前記電気信号は前記電子機器から供給されることを特徴とする請求項１１、１２又は１３記載の音響発生機能試験装置。
【請求項１５】
前記制御手段は、前記イヤホン部に音波を放射させるための前記電気信号の前記イヤホン部への出力を促す出力制御信号を前記電子機器に供給することを特徴とする請求項１１乃至１４のいずれか１に記載の音響発生機能試験装置。
【請求項１６】
前記制御手段は、前記駆動手段に、前記遮断状態となるように前記蓋部材を変位させるための前記駆動制御信号を供給した後に、前記電気信号の前記イヤホン部への出力を促す前記出力制御信号を前記電子機器に供給することを特徴とする請求項１５に記載の音響発生機能試験装置。
【請求項１７】
前記制御手段は、前記電気信号の前記イヤホン部への出力を促す前記出力制御信号を前記電子機器に供給し、所定時間経過後に、前記駆動手段に、前記開放状態となるように前記蓋部材を変位させるための前記駆動制御信号を供給することを特徴とする請求項１６記載の音響発生機能試験装置。
【請求項１８】
前記使用者の左右の耳部へ向けて音波を放射する一対のイヤホン部を備えてなることを特徴とする請求項１１乃至１７のいずれか１に記載の音響発生機能試験装置。
【発明の詳細な説明】
【技術分野】
【０００１】
この発明は、受音器及び音響発生機能試験装置に係り、携帯端末等の試験対象としての電子機器のイヤホンジャック等に接続されるヘッドホン等の受音器、及び電子機器の音響特性を試すために用いられるた音響発生機能試験装置に関する。
【背景技術】
【０００２】
携帯電話機や簡易型携帯電話（ＰＨＳ）、携帯情報端末（ＰＤＡ）等の小型の電子機器には、音声や音楽をイヤホンを用いて聴くための、イヤホンジャックが設けられている。
従来より、携帯端末等の電子機器の音響発生機能に係る試験の一部として、イヤホンが接続されるイヤホンジャックから所望の信号が出力されるか否かの良否判定の試験を行うような場合には、このイヤホンジャックに、試験用の例えばヘッドホンを接続して、試験者が実際に耳近傍から発せられる音声や音楽を聴き取ったり、ヘッドホン等を装着せずにイヤホンジャックにスピーカを接続して発生音を聴き取って、良否判定する官能試験を行っている。
【０００３】
しかしながら、通常、上述したような小型の電子機器の生産ラインでは、複数のラインが密集している場合が多く、スピーカを用いて官能試験を行う場合は、試験者は、隣接したラインの同じ試験工程で用いられるスピーカからの発生音と区別がつかず、対象のスピーカからは音が発せられていなくても、勘違いして試験対象の電子機器を良品と判断してしまう虞があるという問題があった。
また、試験者が、ヘッドホンを装着して官能試験を行う場合には、周囲の音源の影響は排除できるももの、長時間ヘッドホンを装着していることによって、難聴等の健康上の被害が懸念され、試験者に負担がかかるという問題があった。さらに、例えば、緊急時に、サイレンや非常放送の音が聴き取れないという問題があった。
【０００４】
このため、開閉可能な蓋部をイヤホンに取り付けて、必要に応じて開放したり塞ぐようにしたヘッドホンが提案されている（例えば、特許文献１参照。）。このようなヘッドホンを用いて試験を行うことによって、試験時には外部の音を遮断してイヤホンから発せられる音に集中して判定誤りを防ぐとともに、試験時以外には周囲の音も容易に聴き取れるようにすることが可能となる。
なお、電子機器のイヤホンジャックから供給される電気信号を増幅して、スピーカから発生音を放射する技術も提案されている（例えば、特許文献２参照。）。
【特許文献１】特開平０２−２０３６９８号公報
【特許文献２】特開平１０−２３１２７号公報
【発明の開示】
【発明が解決しようとする課題】
【０００５】
解決しようとする第１の問題点は、上記従来技術では、上記ヘッドホンを試験のために使用しようとすると、試験者が手動で操作して蓋を開閉させることとなるので、例えば、イヤホンからの発生音と、携帯電話機等の電子機器のスピーカ（例えばレシーバや着信音等発生用のスピーカ）の発生音とを交互に聴く必要があるような複雑な試験には対応できず、例えば、試験用の音を聴き逃してしまったり、取り違えたりしてしまって、たとえ聴覚の優れた試験者であってもその判定能力が生かせず、正確にかつ確実に試験を行うことができないという点である。
また、第２の問題点は、試験者が手動で操作して蓋を開閉させることとなるので、例えば、複雑な操作を必要とする場合に、依然として試験者に負担がかかるという点である。
【０００６】
この発明は、上述の事情に鑑みてなされたもので、正確にかつ確実に試験を行うことができる受音器及び音響発生機能試験装置を提供することを第１の目的としている。
また、試験者の負担を軽減することができる受音器及び音響発生機能試験装置を提供することを第２の目的としている。
【課題を解決するための手段】
【０００７】
上記課題を解決するために、請求項１記載の発明は、電気信号を対応する音波に変換して使用者の耳部へ向けて放射するイヤホン部を備えてなる受音器に係り、上記イヤホン部は、上記使用者の耳部を覆い込んで、外部空間と隔てるための耳カバー部材と、該耳カバー部材の少なくとも一部を開閉させて、上記耳カバー部材によって覆われた上記耳部近傍の空間と上記外部空間との間の音波の伝播量を調節する伝播量調節手段と備え、上記伝播量調節手段は、入力された駆動制御信号に基づいて、上記耳カバー部材の少なくとも一部を開閉させて、上記伝播量を調節することを特徴としている。
【０００８】
また、請求項２記載の発明は、請求項１記載の受音器に係り、上記耳カバー部材は、上記使用者の耳部を取り囲むように装着される耳当て部材と、該耳当て部材に取り付けられ、上記耳部を覆い込むための蓋部材とを有し、上記伝播量調節手段は、上記駆動制御信号に基づいて、上記蓋部材を変位させて、上記耳部近傍の空間を上記外部空間に対して開放状態とするか又は遮断状態とする駆動手段を有することを特徴としている。
【０００９】
また、請求項３記載の発明は、請求項２記載の受音器に係り、上記蓋部材は所定の回動軸の周りに回動自在に配置され、上記駆動手段は上記蓋部材を回動させるモータからなることを特徴としている。
【００１０】
また、請求項４記載の発明は、請求項２又は３記載の受音器に係り、上記駆動制御信号は、上記駆動手段を制御する制御手段から供給されることを特徴としている。
【００１１】
また、請求項５記載の発明は、請求項１乃至４のいずれか１に記載の受音器に係り、上記イヤホン部は、音響発生機能を有する電子機器に接続され、上記電気信号は上記電子機器から供給されることを特徴としている。
【００１２】
また、請求項６記載の発明は、請求項５記載の受音器に係り、上記イヤホン部に供給される上記電気信号は、上記電子機器の音響発生機能を試験するための試験信号であることを特徴としている。
【００１３】
また、請求項７記載の発明は、請求項４、５又は６記載の受音器に係り、上記制御手段は、上記駆動手段と共に上記電子機器を制御し、上記イヤホン部に音波を放射させるための上記電気信号の上記イヤホン部への出力を促す出力制御信号を上記電子機器に供給することを特徴としている。
【００１４】
また、請求項８記載の発明は、請求項７記載の受音器に係り、上記制御手段は、上記駆動手段に、上記遮断状態となるように上記蓋部材を変位させるための上記駆動制御信号を供給した後に、上記電気信号の上記イヤホン部への出力を促す上記出力制御信号を上記電子機器に供給することを特徴としている。
【００１５】
また、請求項９記載の発明は、請求項６又は７記載の受音器に係り、上記制御手段は、上記電気信号の上記イヤホン部への出力を促す上記出力制御信号を上記電子機器に供給し、所定時間経過後に、上記駆動手段に、上記開放状態となるように上記蓋部材を変位させるための上記駆動制御信号を供給することを特徴としている。
【００１６】
また、請求項１０記載の発明は、請求項１乃至９のいずれか１に記載の受音器に係り、上記使用者の左右の耳部へ向けて音波を放射する一対のイヤホン部を備えてなることを特徴としている。
【００１７】
また、請求項１１記載の発明は、音響発生機能を有する電子機器に接続され、該電子機器の音響発生機能を試験するために用いられる音響発生機能試験装置に係り、電気信号を対応する音波に変換して使用者の耳部へ向けて放射するイヤホン部を備えてなる受音器と、該受音器及び上記電子機器を制御する制御手段とを備え、上記イヤホン部は、上記使用者の耳部を覆い込んで、外部空間と隔てるための耳カバー部材と、該耳カバー部材の少なくとも一部を開閉させて、上記耳カバー部材によって覆われた上記耳部近傍の空間と上記外部空間との間の音波の伝播量を調節する伝播量調節手段と有し、上記伝播量調節手段は、上記制御手段から入力された駆動制御信号に基づいて、上記耳カバー部材の少なくとも一部を開閉させて、上記音響伝播量を調節することを特徴としている。
【００１８】
また、請求項１２記載の発明は、請求項１１記載の音響発生機能試験装置に係り、上記耳カバー部材は、上記使用者の耳部を取り囲むように装着される耳当て部材と、該耳当て部材に取り付けられ、上記耳部を覆い込むための蓋部材とを有し、上記伝播量調節手段は、上記駆動制御信号に基づいて、上記蓋部材を変位させて、上記耳部近傍の空間を上記外部空間に対して開放状態とするか又は遮断状態とする駆動手段を有することを特徴としている。
【００１９】
また、請求項１３記載の発明は、請求項１２記載の音響発生機能試験装置に係り、上記蓋部材は所定の回動軸の周りに回動自在に配置され、上記駆動手段は上記蓋部材を回動させるモータからなることを特徴としている。
【００２０】
また、請求項１４記載の発明は、請求項１１、１２又は１３記載の音響発生機能試験装置に係り、上記イヤホン部は、音響発生機能を有する電子機器に接続され、上記電気信号は上記電子機器から供給されることを特徴としている。
【００２１】
また、請求項１５記載の発明は、請求項１１乃至１４のいずれか１に記載の音響発生機能試験装置に係り、上記制御手段は、上記イヤホン部に音波を放射させるための上記電気信号の上記イヤホン部への出力を促す出力制御信号を上記電子機器に供給することを特徴としている。
【００２２】
また、請求項１６記載の発明は、請求項１５に記載の音響発生機能試験装置に係り、上記制御手段は、上記駆動手段に、上記遮断状態となるように上記蓋部材を変位させるための上記駆動制御信号を供給した後に、上記電気信号の上記イヤホン部への出力を促す上記出力制御信号を上記電子機器に供給することを特徴としている。
【００２３】
また、請求項１７記載の発明は、請求項１６記載の音響発生機能試験装置に係り、上記制御手段は、上記電気信号の上記イヤホン部への出力を促す上記出力制御信号を上記電子機器に供給し、所定時間経過後に、上記駆動手段に、上記開放状態となるように上記蓋部材を変位させるための上記駆動制御信号を供給することを特徴としている。
【００２４】
また、請求項１８記載の発明は、請求項１１乃至１７のいずれか１に記載の音響発生機能試験装置に係り、上記使用者の左右の耳部へ向けて音波を放射する一対のイヤホン部を備えてなることを特徴としている。
【発明の効果】
【００２５】
この発明の構成によれば、伝播量調節手段は、入力された駆動制御信号に基づいて、カバー部材の少なくとも一部を開閉させて、音波の伝播量を調節するので、例えば、試験を開始する前に、蓋部材を閉じさせ、試験終了後に、蓋部材を開かせるように制御することによって、例えば複雑な試験を行う場合であっても、正確にかつ確実に試験を行うことができる。
また、伝播量調節手段は、入力された駆動制御信号に基づいて、カバー部材の少なくとも一部を開閉させて、音波の伝播量を調節するので、例えば、試験を開始する前に、蓋部材を閉じさせ、試験終了後に、蓋部材を開かせるように制御することによって、例えば複雑な試験を行う場合であっても、試験者の負担を軽減することができる、
【発明を実施するための最良の形態】
【００２６】
伝播量調節手段が、入力された駆動制御信号に基づいて、カバー部材の少なくとも一部を開閉させて、音波の伝播量を調節して、例えば、試験を開始する前に、蓋部材を閉じさせ、試験終了後に、蓋部材を開かせるように制御することによって、例えば複雑な試験を行う場合であっても、正確にかつ確実に試験を行うという第１の目的を実現した。
また、伝播量調節手段が、入力された駆動制御信号に基づいて、カバー部材の少なくとも一部を開閉させて、音波の伝播量を調節して、例えば、試験を開始する前に、蓋部材を閉じさせ、試験終了後に、蓋部材を開かせるように制御することによって、例えば複雑な試験を行う場合であっても、試験者の負担を軽減するという第２の目的を実現した。
【実施例】
【００２７】
図１は、この発明の一実施例に係る音響発生機能試験装置の構成を示す図、図２は、同音響発生機能試験装置の構成を示すブロック図、図３は、同音響発生機能試験装置のヘッドホンの構成を示す図であって、両イヤホン部が閉鎖状態とされて同ヘッドホンが試験者の頭部に装着された様子を示す正面図、図４は、同ヘッドホンの構成を示す図であって、両イヤホン部が閉鎖状態とされて同ヘッドホンが試験者の頭部に装着された様子を示す側面図、図５は、同ヘッドホンの構成を示す図であって、両イヤホン部が開放状態とされて同ヘッドホンが試験者の頭部に装着された様子を示す正面図、図６は、同ヘッドホンの構成を示す図であって、両イヤホン部が開放状態とされて同ヘッドホンが試験者の頭部に装着された様子を示す側面図、図７は、同ヘッドホンの左用イヤホン部の構成を示す図であって、同左用イヤホン部が閉鎖状態とされて同ヘッドホンが試験者の頭部に装着された際の様子を一部透視状態で示す側面図、図８は、同左用イヤホン部の構成を示す図であって、同左用イヤホン部が開放状態とされて同ヘッドホンが試験者の頭部に装着された際の様子を一部透視状態で示す側面図、また、図９は、同左用イヤホン部の構成を一部透視状態で示す図である。
【００２８】
この例の音響発生機能試験装置１は、図１及び図２に示すように、試験対象の例えば携帯電話機（電子機器）２のイヤホンジャック（音響出力用接続器具）５５に接続され、携帯電話機２から供給される電気信号としての音響信号を受けて、対応する音声や音楽等の音波を発生させる試験用ヘッドホン３と、当該音響発生機能試験装置１を構成する試験用ヘッドホン３等や試験対象の携帯電話機２を制御するコントローラ４と、キーボードやマウス等からなる操作部５と、液晶ディスプレイやＣＲＴディスプレイ、プラズマディスプレイ等からなる表示部６とを備えてなっている。
【００２９】
試験用ヘッドホン３は、図３乃至図６に示すように、左用イヤホン部８と、右用イヤホン部９と、両端部にそれぞれ左用イヤホン部８及び右用イヤホン部９が取り付けられ、試験者（使用者）の頭部Ｈに装着するための逆Ｕ字形に湾曲したヘッドバンド１１とを有してなっている。
左用イヤホン部８は、図２及び図７乃至図９に示すように、携帯電話機２のイヤホンジャック５５から供給される電気信号を受けて、対応する音声や音楽等の音波に変換して出力するスピーカ１３と、試験者の左耳Ｙの周囲に配置されるリング状の耳当て部１４と、所定の回動軸Ｘの周りに回動する開閉自在の耳当て部１４耳当て部１４１５と、蓋部１５を回動軸Ｘの周りに回動させる蓋駆動部１６とを有している。
ここで、耳当て部１４、蓋部１５及び蓋駆動部１６によって、試験者の左耳の周囲を開放状態として試験者が外部の音を容易に知覚可能とするか、又は試験中に試験者の左耳の周囲を蓋部１５によって塞いで略密閉状態として外部から試験者の左耳に達する音を遮断して、スピーカ１３から発せられる試験用の音を聴くことが可能とされる。
【００３０】
蓋駆動部１６は、耳当て部１４の内壁部に取り付けられ、コントローラ４から送られた駆動信号によって回転するモータ１８と、モータ１８の回転軸に取着されたモータギア１９と、モータギア１９と噛合して従動回転する従動ギア２１と、従動ギア２１の周縁部に一端部が固定され、他端部が蓋部１５の所定の部位に固定された作動部材２２とを有している。
ここで、モータ１８の回転（正転）に伴って作動部材２２とともに蓋部１５が回動軸Ｘの周りに回転して蓋部１５が開き、モータ１８が逆転することによって、作動部材２２が後退して、蓋部１５が元の位置に戻って閉じることとなる。
なお、図９で、符号２４は、スピーカ１３に電気信号を供給するための電気信号線を含むケーブル、符号２５は、モータ１８に駆動信号を供給す電気信号線を含むケーブル、符号２６は、ケーブル２４，２５の電気信号線が纏められたケーブルを示している。
【００３１】
右用イヤホン部９も、左用イヤホン部８と同様に、スピーカ２８と、試験者の右耳の周囲に当接されるリング状の耳当て板２９と、所定の回動軸の周りに回動する開閉自在の蓋部３１と、蓋部３１を所定の回動軸の周りに回動させる蓋駆動部（不図示）とを有している。
ここで、耳当て板２９、蓋部３１及び蓋駆動部によって、試験者の左耳の周囲を開放状態として試験者が外部の音を容易に知覚可能とするか、又は試験中に試験者の右耳の周囲を蓋部３１によって塞いで略密閉状態として外部から試験者の右耳に達する音を遮断して、スピーカ２８から発せられる試験用の音を聴くことが可能とされる。
右用イヤホン部９の蓋駆動部は、コントローラ４から送られた駆動信号によって回転するモータ３２と、モータ３２の回転軸に取着されたモータギア（不図示）と、モータギアと噛合して従動回転する従動ギア（不図示）と、従動ギアの周縁部に一端部が固定され、他端部が蓋部３１の所定の部位を押圧する作動棒（不図示）とを有している。
【００３２】
コントローラ４は、携帯電話機２に電気信号のイヤホン部への出力を促す所定の出力駆動信号を供給すると共に、所定のタイミングで試験用ヘッドホン２にモータ駆動信号を供給する。
コントローラ４は、ＣＰＵ等からなる制御部３４と、制御部３４が実行する処理プログラムや各種データ等を記憶するための記憶部３５と、入出力部３６とを有している。
記憶部３５は、内部記憶装置と外部記憶装置とからなる。内部記憶装置は、ＲＡＭやＲＯＭ等の半導体メモリからなる。外部記憶装置は、ＦＤが装着されるＦＤドライバ、ＨＤが装着されるＨＤドライバ、ＭＯディスクが装着されるＭＯディスクドライバ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ等が装着されるＣＤ／ＤＶＤドライバ、磁気デープ装置等からなっている。
この例では、入出力部３６は、モータ１８，３２を駆動するためのモータ駆動回路を含んでいる。
【００３３】
携帯電話機（電子機器）２は、折畳可能な筐体４１を備え、図１及び図２に示すように、当該携帯電話機本体の構成各部を制御する制御部４２と、制御部４２が実行する処理プログラムや各種データ等を記憶するための記憶部４３と、電波の送受信を行うアンテナ４４と、アンテナ４４を介して無線電波の送受信を行い、所定のプロトコルに従って通話やデータ通信を行うために用いられる無線通信部４５と、数字や文字の入力操作等を行うための多数の各種操作キー等からなる操作部４６と、折畳時に内側となる側に配設され液晶表示装置からなり例えば待受画面や機能設定画面等が表示される主表示部４７と、折畳時に外側となる側に配設され液晶表示装置からなる補助表示部４８と、受話音声出力用スピーカからなる受話部４９と、音声入力用のマイクロフォンからなる送話部５１と、例えば周囲の風景や人物等を撮影するための電子カメラユニット５２と、着信時に着信音を発生すると共に撮影時に擬似シャッタ音を発生するリンガ発生部５３と、ＬＥＤを有し例えば着信時や通話時に発光する発光部５４と、試験時に試験用ヘッドホン３が接続されるイヤホンジャック５５と、試験時にコントローラとの間で所定のデータの授受を行うためのデータ送受信用コネクタ５６を備えてなっている。
制御部４２は、共にＣＰＵ（中央処理装置）等からなり、記憶部４３に記憶された各種処理プログラムを実行し、記憶部４３に確保された各種レジスタやフラグを用いて、構成各部を制御し各種制御処理を実行する。
【００３４】
記憶部４３は、ＲＯＭ、ＲＡＭ等の半導体メモリからなり、制御部４２が実行する操作制御処理プログラムや、通信制御処理プログラム、表示制御処理プログラム、ホームページを閲覧するためのプログラムとしてのブラウザ、電子メールを作成したり送受信するためのプログラムとしてのメーラ等の各種処理プログラム等をが記憶されたプログラム記憶領域と、各機能の設定情報や通信履歴情報、電話帳情報等の各種情報が記憶された情報記憶領域とを有すると共に、この記憶部４３には、制御部４２がプログラム実行時に用いる各種レジスタやフラグが確保されている。
また、上記情報記憶領域には、音響機能試験を行うための音声や音楽（例えば着信時に出力される着信通知用楽曲）に対応する試験用データが記憶されている。
【００３５】
無線通信部４５は、ＲＦ回路や、変復調回路、ベースバンド処理回路等からなり、音声やデータを変調してアンテナ７を介して無線電波として送信すると共に、無線電波をアンテナ７を介して受信して音声やデータに復調し、所定のプロトコルに従って通話やデータ通信を行うために用いられる。
操作部４６、ブラウザを起動させてホームページを閲覧するためのブラウザモード選択キー、操作を決定するために用いられる決定キー、操作メニューを表示させるためのメニューキー、文字入力モードを切り換えるための入力モード切替えキー、電話帳を登録したり検索するための電話帳キー、音声通話を行うために用いる通話開始キー、操作を１つ前の状態へ戻すクリアキー、及び電源の入切りを行った各種操作を中止するために用いられる電源キーを含む機能キー群と、主表示部４７に表示された表示画面上のカーソルを上下左右方向へ移動させるためのカーソルキーと、例えば数字等を入力するためのテンキー群とを有している。
リンガ発生部５３は、着信時に着信音を発生する。なお、このリンガ発生部５３は、ハンズフリー時にも使用される。
【００３６】
次に、図１乃至図９を参照して、上記構成の音声・音響出力機能試験装置１の動作について説明する。
まず、図１に示すように、試験用ヘッドホン３とコントローラ４と携帯電話機２とを相互に接続する。すなわち、試験用ヘッドホン３とコントローラ４とは、ケーブル２６，６１，６２，６３を介して接続され、試験用ヘッドホン３と携帯電話機２とは、ケーブル２６，６１，６４を介して接続され、コントローラ４と携帯電話機２とは、ケーブル６３，６５を介して接続される。
ここで、ケーブル２６（６１）は、左用の（右用の）スピーカ１３（２８）に電気信号を供給するための電気信号線を含むケーブル、及び左用の（右用の）モータ１８（３２）に駆動信号を供給す電気信号線を含むケーブルであり、分岐部６６で、ケーブル６２，６４に分岐される。
【００３７】
また、ケーブル６２は、左用及び右用のモータ１８，３２に駆動信号を供給す電気信号線を含むケーブルである。また、ケーブル６４は、左用及び右用のスピーカ１３，２８に電気信号を供給するための電気信号線を含むケーブルであり、接続プラグ６９が、携帯電話機２のイヤホンジャック５５に嵌入されて接続される。
また、ケーブル６５は、コントローラ４が携帯電話機２に制御信号等を供給するための電気信号線を含むケーブルであり、ケーブルコネクタ６７が携帯電話機２のデータ送受信用コネクタ５６に接続される。  また、ケーブル６３は、ケーブル６２，６３の電気信号線が纏められたケーブルであり、ケーブルコネクタ６８がコントローラ４の機器側コネクタ６８に接続される。
【００３８】
携帯電話機２のイヤホンジャック５５の機能を含む音響発生機能の試験を開始する前に、コントローラ４は、試験用ヘッドホン３にモータ駆動信号を供給する。これによって、モータ１８、３２が回転（逆転）する。モータ１８の回転によって、モータギア１９、従動ギア２１が回転し作動部材２２が後退して、蓋部１５が閉じる。同様に、モータ３２の回転によって蓋部３１が閉じる。
次に、コントローラ４は、携帯電話機２に、試験用の電気信号としての所定の音響信号の出力を促す出力制御信号を供給し、これによって、携帯電話機２は、ケーブル６４，２６，６１を介して、試験用の所定の音響信号をスピーカ１３，２８に供給する。
【００３９】
スピーカ１３，２８は、音響信号を受けて、対応する音声や音楽等の音波を発生させる。
試験者は、外部の音に影響されることなくスピーカ１３，２８から発せられる試験音を聴いて確認して試験を実施し、携帯電話機２の良否の判定を行う。
次に、コントローラ４は、所定の一連の試験が終了すると、試験用ヘッドホン３にモータ駆動信号を供給する。これによって、モータ１８，３２が回転（正転）する。モータ１８の回転によって、作動部材２２とともに蓋部１５が回動軸Ｘの周りに回転して蓋部１５が開く。同様に、モータ３２の回転によって、蓋部３１が回動軸Ｘの周りに回転して蓋部３１が開く
これによって、試験者は、外部の音を容易に聴くことができる。
【００４０】
このように、この例の構成によれば、必要なとき（すなわち、試験実施中）のみ自動的に蓋部が閉められ、外部から到来する音波が遮断されるので、外部の音源の影響を排除することができ、試験者は、確実かつ正確に試験を行うことができる。
例えば、イヤホンジャックにスピーカを接続して、スピーカから出力される音を試験者が聴くことによって試験を実施する場合に比べ、周囲で実施されている例えば同一の試験工程での発生音と混同して、誤判断を引き起こすこともない。すなわち、不良とすべき携帯電話機２を良品と判断するよう不具合を防ぐことができる。
したがって、試験の精度を向上させることができる。
しかも、コントローラ４は、試験を開始する前に、試験用ヘッドホン３にモータ駆動信号を供給して、モータ１８，３２の回転によって蓋部１５，３１を閉じさせ、試験終了後に、試験用ヘッドホン３にモータ駆動信号を供給して、蓋部１５，３１を開かせるように制御するので、例えば複雑な試験を行う場合であっても正確にかつ確実に試験を行うことができる。
【００４１】
また、必要なとき（すなわち、試験実施中）以外は自動的に蓋部が開かれ、外部から到来する音を容易に聴くことができ、難聴等の健康上の被害を防止することができ、試験者に対する負担を軽減することができる。さらに、例えば、緊急時に、サイレンや非常放送の音が聴き取りにくくなる不具合を回避することができる。
また、コントローラ４は、試験を開始する前に、試験用ヘッドホン３にモータ駆動信号を供給して、モータ１８，３２の回転によって蓋部１５，３１を閉じさせ、試験終了後に、試験用ヘッドホン３にモータ駆動信号を供給して、蓋部１５，３１を開かせるように制御するので、例えば複雑な試験を行う場合であっても、試験者の負担を軽減することができる。
【００４２】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、駆動手段としてモータを用いる場合について述べたが、これ以外に、磁石やばねを組み合わせて用いても良いし、エアを用いても良い。
また、蓋部を、回動軸の周りに回動させて開閉させる場合について述べたが、スライド動作によって開閉させるようにしても良い。この場合、単一のモータを例えばヘッドバンドの中央部に配置して、両イヤホン部の蓋部を同時に変位させるように構成しても良い。
【００４３】
また、作動部材を廃して、蓋部をモータのシャフトに直接取り付けて回動させるようにしても良い。ここで、蓋部の面法線が回動軸と互いに平行となるように、蓋部を回動させるように構成しても良い。
また、ヘッドホンの接続プラグがイヤホンジャックに嵌着されたときに、携帯電話機からコントローラへ接続検知信号を送信するように構成しても良い。
また、マイクロフォンが装着されたヘッドセットに適用しても良い。また、ヘッドホンに限らず単体のイヤホンにも適用しても良い。
【００４４】
また、作動部材２２の他端部を蓋部１５に固定せずに、作動部材２２の先端が蓋部１５の所定の部位を押圧することによって回転させて開かせ、作動部材２２を後退させて、蓋部１５が自重によって、元の位置に戻って閉じるように構成しても良い。
また、携帯電話機２のイヤホンジャックの試験に限らず、例えばパーソナルコンピュータのスピーカ接続端子の試験を行う際に用いるようにしても良い。
また、試験用のデータを携帯電話機の記憶部に用意する場合について述べたが、コントローラ内に用意しても良い。また、特に試験用として用意しなくても既存のデータを流用するようにしても良い。
【産業上の利用可能性】
【００４５】
携帯端末としては、携帯電話機のほか、簡易型携帯電話（ＰＨＳ）端末や、携帯情報端末（ＰＤＡ）、携帯型のコンピュータに対して適用できる。また、電子機器として、携帯端末のほか、これ以外の音声出力部（スピーカ等）を備えた表示装置や音響装置、パーソナルコンピュータ等に対して適用できる。
【図面の簡単な説明】
【００４６】
【図１】この発明の一実施例に係る音響発生機能試験装置の構成を示す図である。
【図２】同音響発生機能試験装置の構成を示すブロック図である。
【図３】同音響発生機能試験装置のヘッドホンの構成を示す図であって、両イヤホン部が閉鎖状態とされて同ヘッドホンが試験者の頭部に装着された様子を示す正面図である。
【図４】同ヘッドホンの構成を示す図であって、両イヤホン部が閉鎖状態とされて同ヘッドホンが試験者の頭部に装着された様子を示す側面図である。
【図５】同ヘッドホンの構成を示す図であって、両イヤホン部が開放状態とされて同ヘッドホンが試験者の頭部に装着された様子を示す正面図である。
【図６】同ヘッドホンの構成を示す図であって、両イヤホン部が開放状態とされて同ヘッドホンが試験者の頭部に装着された様子を示す側面図である。
【図７】同ヘッドホンの左用イヤホン部の構成を示す図であって、同左用イヤホン部が閉鎖状態とされて同ヘッドホンが試験者の頭部に装着された際の様子を一部透視状態で示す側面図である。
【図８】同左用イヤホン部の構成を示す図であって、同左用イヤホン部が開放状態とされて同ヘッドホンが試験者の頭部に装着された際の様子を一部透視状態で示す側面図である。
【図９】同左用イヤホン部の構成を一部透視状態で示す図である。
【符号の説明】
【００４７】
１      音響発生機能試験装置
２      携帯電話機（電子機器）
３      試験用ヘッドホン（受音器）
４      コントローラ（制御手段）
８      左用イヤホン部（イヤホン部）
９      右用イヤホン部（イヤホン部）
１３，２８      スピーカ
１４，２９    耳当て部（耳当て部材、耳カバー部材の一部）
１５，３１      蓋部（蓋部材、耳カバー部材の一部）
１６      蓋駆動部（伝播量調節手段）
１８，３２      モータ（駆動手段）
【図１】
2005223553.tif 000003
【図２】
2005223553.tif 000004
【図３】
2005223553.tif 000005
【図４】
2005223553.tif 000006
【図５】
2005223553.tif 000007
【図６】
2005223553.tif 000008
【図７】
2005223553.tif 000009
【図８】
2005223553.tif 000010
【図９】
2005223553.tif 000011